(57)【要約】【課題】断水等で水道水側が負圧になって、風呂等の汚れた水が水道管に逆流するのを防ぐ機器への注湯装置を提供することを目的とする。【解決手段】注湯弁と注水弁の少なくとも一方の下流側で、かつ残り湯が混合する部分の上流側に配置された逆流防止装置１３は、注水弁あるいは注湯弁近傍の水圧と逆流防止装置内を通過する水の水圧との圧力差、および逆流防止装置１３内を通過する水圧と大気圧との圧力差の合力により開閉する大気開放弁３１を有するとともに、この大気開放弁３１は装置外から軸３７の操作により開弁可能としたことにより、逆止弁の機能が阻害された状態で断水等が発生した場合でも逆流を防止でき、同時に水漏れや大気開放弁３１の固着をなくすことができる。【選択図】　図２
2004044838.tif 000002
【特許請求の範囲】
【請求項１】
給湯回路からの湯を供給する注湯弁と、水道水を供給する注水弁と、浴槽の残り湯を機器もしくは浴槽へ供給するため流路を切り換える流路切り換え弁と、前記注湯弁と注水弁の少なくとも一方の下流側で、かつ前記残り湯が混合する部分の上流側に配置された逆流防止装置とを備え、前記逆流防止装置は、前記注水弁近傍あるいは注湯弁近傍の水圧と逆流防止装置内を通過する水の水圧との圧力差、および逆流防止装置内を通過する水圧と大気圧との圧力差の合力により開閉するとともに装置外からも開弁可能な大気開放弁を有する機器への注湯装置。
【請求項２】
注水弁近傍あるいは注湯弁近傍の水圧の受圧部と逆流防止装置内を通過する水の圧力の受圧部、および逆流防止装置内を通過する水の圧力の受圧部と大気圧の受圧部との間にそれぞれダイアフラムを設け、これらダイアフラムと大気開放弁を一体的に動作するように連結した請求項１に記載の機器への注湯装置。
【請求項３】
大気圧側のダイアフラムの逆流防止装置内を通過する水の圧力の受圧面積と、大気開放弁の逆流防止装置内を通過する水の圧力の受圧面積とを同一とした請求項２に記載の機器への注湯装置。
【請求項４】
注水弁近傍あるいは注湯弁近傍の水圧の受圧部側におけるダイアフラムの受圧面積を、大気開放弁の逆流防止装置内を通過する水の圧力の受圧面積より大きくした請求項２または３に記載の機器への注湯装置。
【請求項５】
逆流防止装置を注水弁の下流側直後に配置した請求項１に記載の機器への注湯装置。
【請求項６】
給湯回路からの湯を供給する注湯弁と、水道水を供給する注水弁と、浴槽の残り湯を機器もしくは浴槽へ供給するため流路を切り換える流路切り換え弁と、前記注湯弁と注水弁の少なくとも一方の下流側で、かつ前記残り湯が混合する部分の上流側に配置された逆流防止装置とを備え、前記逆流防止装置は、前記注水弁近傍あるいは注湯弁近傍の水圧と逆流防止装置内を通過する水の水圧との圧力差により開閉するとともに装置外からも開弁可能な大気開放弁を有する機器への注湯装置。
【発明の詳細な説明】
【０００１】
【発明の属する技術分野】
本発明は、水、給湯機からの湯、浴槽の残り湯等を洗濯機、洗浄装置、空調装置等へ供給する機器への注湯装置に関するものである。
【０００２】
【従来の技術】
従来、この種の注湯装置は、図７に示す通り、給湯および浴槽水の循環加熱ができる給湯機１２の外部、または、内部に接続され、洗濯機等の機器８へ水を供給する注水弁１と、機器８へ湯を供給する注湯弁２と、浴槽９の残り湯１０を機器８もしくは浴槽９へ供給するため流路を切り換える流路切り換え弁４と、機器８への通水の有無を検出する通水検出手段５と、機器８への給水モードを選択するリモコン３と、注水弁１、注湯弁２、流路切り換え弁４、通水検出手段５、接続される給湯機１２をリモコン３で選択されたモードによってそれぞれ動作させる制御装置７から構成される。１１は循環ポンプである。
【０００３】
そして、例えば洗濯を行う場合、機器８の洗いとすすぎを自動判別し、洗いの際はリモコン３で選択されたモードに従って、水、湯、残り湯１０のいずれかを機器８へ供給し、すすぎの際は水を供給するようになっている。
【０００４】
【発明が解決しようとする課題】
従来の注湯装置においては、断水などで水道水の供給側が負圧等になって、風呂等の汚れた水が水道管に逆流するのを防ぐために、図７に示すように、逆止弁６（安全のために２連の構成になっている）が取り付けられている。しかしながら、この逆止弁６にゴミ等が詰ることがあると、逆止弁６の働きが阻害されて、水が逆流する恐れがあるという課題を有していた。これを解決するために、逆止弁６とは別に逆流防止装置を設けて逆流を防止することも考えられるが、機器の入口で注湯が閉止されたような場合には、弁へ作用する圧力が高まり水漏れが生ずる恐れがある。また、この逆流防止装置の弁を長期間、閉弁状態で保持すると、その状態で固着してしまい、必要なときに開弁しなくなるということも生ずる恐れがある。
【０００５】
本発明は、前記従来の課題を解決するもので、逆止弁の機能が阻害された状態で、断水等が発生した場合でも、汚れた水が水道管に逆流することをなくすとともに、水漏れや弁が動作しないということのない機器への注湯装置を提供することを目的とするものである。
【０００６】
【発明を解決するための手段】
前記目的を達成決するために、本発明の機器への注湯装置は、逆流防止装置には、注水弁近傍あるいは注湯弁近傍の水圧と逆流防止装置内を通過する水の水圧との圧力差、および逆流防止装置内を通過する水圧と大気圧との圧力差の合力により開閉するとともに装置外からも開弁可能な大気開放弁を有するものである。
【０００７】
これにより、逆止弁の機能が阻害された状態で、断水等が発生した場合でも、逆流防止装置の作用により、汚れた水が水道管に逆流することをなくすとともに、注湯が閉止されたような場合に弁へ作用する圧力が高まっても、大気開放弁は水圧と大気圧との圧力差により確実に閉弁されて水漏れはなく、さらに必要時には装置外からも開弁ができ、固着して弁が動作しないということはない。
【０００８】
【発明の実施の形態】
請求項１に記載の発明は、給湯回路からの湯を供給する注湯弁と、水道水を供給する注水弁と、浴槽の残り湯を機器もしくは浴槽へ供給するため流路を切り換える流路切り換え弁と、前記注湯弁と注水弁の少なくとも一方の下流側で、かつ前記残り湯が混合する部分の上流側に配置された逆流防止装置とを備え、前記逆流防止装置は、前記注水弁近傍あるいは注湯弁近傍の水圧と逆流防止装置内を通過する水の水圧との圧力差、および逆流防止装置内を通過する水圧と大気圧との圧力差の合力により開閉するとともに装置外からも開弁可能な大気開放弁を有する機器への注湯装置とすることにより、逆止弁の機能が阻害された状態で、断水等が発生した場合でも、逆流防止装置の作用により、汚れた水が水道管に逆流することをなくすとともに、注湯が閉止されたような場合に弁へ作用する圧力が高まっても、大気開放弁は水圧と大気圧との圧力差により確実に閉弁されて水漏れはなく、さらに必要時には装置外からも開弁ができ、固着して弁が動作しないということはない。
【０００９】
請求項２に記載の発明は、注水弁近傍あるいは注湯弁近傍の水圧の受圧部と逆流防止装置内を通過する水の圧力の受圧部、および逆流防止装置内を通過する水の圧力の受圧部と大気圧の受圧部との間にそれぞれダイアフラムを設け、これらダイアフラムと大気開放弁を一体的に動作するように連結した請求項１に記載の機器への注湯装置とすることにより、シンプルな構成で汚れた水の水道管への逆流をなくすことができる。
【００１０】
請求項３に記載の発明は、大気圧側のダイアフラムの逆流防止装置内を通過する水の圧力の受圧面積と、大気開放弁の逆流防止装置内を通過する水の圧力の受圧面積とを同一とした請求項２に記載の機器への注湯装置とすることにより、逆流防止装置内を通過する水の圧力が変動しても、大気開放弁に不要な動きが発生せず、安定性が得られるものである。
【００１１】
請求項４に記載の発明は、注水弁近傍あるいは注湯弁近傍の水圧の受圧部側におけるダイアフラムの受圧面積を、大気開放弁の逆流防止装置内を通過する水の圧力の受圧面積より大きくした請求項２または３に記載の機器への注湯装置とすることにより、断水等による圧力の変動を即座に大気開放弁を開放する力として伝えることができるようになり応答が確実になるものである。
【００１２】
請求項５に記載の発明は、逆流防止装置を注水弁の下流側直後に配置した請求項１に記載の機器への注湯装置とすることにより、注水弁との一体化が可能でより簡単な構成とすることができる。
【００１３】
請求項６に記載の発明は、給湯回路からの湯を供給する注湯弁と、水道水を供給する注水弁と、浴槽の残り湯を機器もしくは浴槽へ供給するため流路を切り換える流路切り換え弁と、前記注湯弁と注水弁の少なくとも一方の下流側で、かつ前記残り湯が混合する部分の上流側に配置された逆流防止装置とを備え、前記逆流防止装置は、前記注水弁近傍あるいは注湯弁近傍の水圧と逆流防止装置内を通過する水の水圧との圧力差により開閉するとともに装置外からも開弁可能な大気開放弁を有する機器への注湯装置とすることにより、特に、逆流防止装置の構成を簡単なものとすることができ、所期の効果を得ることができる。
【００１４】
【実施例】
以下、本発明の実施例について、図面を参照して説明する。
【００１５】
（実施例１）
図１〜図３は、本発明の実施例１における機器への注湯装置を示す。全体構成については、図７で示した装置と同様であるので、同一部分に同一符号を付して説明を省略する。
【００１６】
図１において、１３は注湯弁２と注水弁１の少なくとも一方の下流側で、かつ前記残り湯が混合する部分１５の上流側に配置された逆流防止装置であり、この実施例では、注湯弁２からの湯と注水弁１からの水道水とを混合する部分１４の下流側で、かつ残り湯が混合する部分１５の上流側に配置されている。１６は圧力導入管で、注水弁１の近傍１７の圧力を検知するように接続されているが、注湯弁２の近傍の圧力を検知するようにしても同じである。１８はト゛レン管で、後述する大気開放弁より排出される水を器具の外側に導くものである。１９はドレン管１８がケースを貫通する部分、２０はドレン受けである。２１は逆流防止装置１３内の大気開放弁を装置外から操作する固着防止スイッチである。
【００１７】
図２は逆流防止装置１３の詳細を示し、２２は水または湯の入口、２３は出口である。２４は圧力導入管１６に接続されて注水弁１の近傍１７の圧力を導入する１次圧入口である。２５はダイアフラムＡで、注水弁１の近傍１７の水圧を受ける受圧部２６を有している。２７は逆流防止装置１３内を通過する圧力の受圧空間である。２８はダイアフラムＢで、大気圧を受ける受圧部２９と逆流防止装置１３内を通過する水圧を受ける受圧部３０を有している。３１は大気開放弁であり、ゴム等の弁体３２を有し、逆流防止装置１３内を通過する水圧を受ける受圧部３３を有している。前記ダイアフラムＡ２５の受圧部２６は、大気開放弁３１の受圧部３３より、その受圧面積を可能な限り大きくしている。またダイアフラムＢ２８の受圧部３０と大気開放弁３１の受圧部３３との面積は同一としている。３４は大気開放弁３１を開放する方向に付勢するばねである。このばね３４の力は、水が無い場合のように他に力が殆どかからない場合にのみ大気開放弁３１を開く程度の小さな力に設定している。３５、３６は大気との連通口である。３７はダイアフラムＡ２５、Ｂ２８と大気開放弁３１とを一体的に動作するように連結する軸で、この軸３７と同一線上の端部３８に固着防止スイッチ２１があり、大気開放弁３１が装置外から開弁操作できるようになっている。
【００１８】
以上のように構成された機器への注湯装置について、以下その動作、作用を説明する。
【００１９】
図２において、断水等の無い通常の動作について説明する。入口２２より入った水または湯の圧力は、ダイアフラムＢ２８の受圧部３０および大気開放弁３１の受圧部３３に同時にかかるが、受圧面積がほぼ同等なので互いに打ち消し合う。一方ダイアフラムＡ２５の、注水弁１の近傍１７の水圧を受ける受圧部２６には注水弁近傍の圧力がかかり、ダイアフラムＢ２８の大気圧を受ける受圧部２９には大気圧がかかるが、ダイアフラムＡ２５の受圧面積が大きいと共に、注水弁近傍の圧力は大気圧よりも大きいために、全体の合力は大気開放弁３１を閉じる方向に働く。ばね３４は、大気開放弁３１を開く方向に付勢しているが小さな力に設定しているため、大気開放弁３１は開かない。また、機器８の入口で注湯を閉止した場合、つまり、出口２３の下流側で閉止した場合でも、大気開放弁３１へ作用する圧力が高まるが、ダイアフラムＡ２５の面積が大きく、大気開放弁３１は水圧と大気圧との圧力差が作用するため、全体の合力は大気開放弁３１を閉じる方向に働き、確実に閉弁し、水漏れの恐れはない。
【００２０】
一方、断水等で注水弁１の近傍１７の圧力が大気圧あるいはそれ以下になった場合は、図３に示すように、大気開放弁３１が開く方向に力が作用する。この結果として弁が開き、逆流防止装置１３内の水は連通口３５を通して外に放出され、圧力は開放される結果として、逆流が生じることがなくなる。
【００２１】
また、図２のような断水等の無い通常の状態が長時間にわたって継続されると、ゴム等の弁体３２が固着して、図３のように大気開放弁３１が開弁する力が働いても、開かない場合が発生する。そういう状態を防止するため、必要時に固着防止スイッチ２１により、軸３７の端部３８を押すことで、大気開放弁３１を強制的に動作させ固着を防止することができる。
【００２２】
（実施例２）
図４、図５は本発明の実施例２における機器への注湯装置の逆流防止装置を示す。
【００２３】
実施例１との相違点を説明する。大気開放弁３９は、逆流防止装置１３内を通過する水圧を受ける受圧部４１と、ダイアフラムＡ４２における注水弁１の近傍１７の水圧を受ける受圧部４３との圧力差による力で開閉する構成であり、かつ受圧部４３の受圧面積が受圧部４１の受圧面積よりも大きくなるように設定されている。また、大気開放弁３９とダイアフラムＡ４３は軸４４にて連結され、固着防止スイッチにより操作される操作端部４５も同一の軸上に存在する。軸４４は、ゴムリング４６にてシールされ、中の水が装置外に漏れないような構造となっている。
【００２４】
この構成において、断水等の無い通常の動作について説明する。入口２２より入った水または湯の圧力は、大気開放弁３９の受圧部４１にかかる。一方ダイアフラム４２の、注水弁１の近傍１７の水圧を受ける受圧部４３には注水弁近傍の圧力がかかる。この結果、受圧部４３の受圧面積が受圧部４１の受圧面積よりも大きくなるように設定されているため、大気開放弁３９は閉止の方向に押される。また、出口２２の下流側で閉止した場合でも、ダイアフラムＡ４３の面積が大きいため、全体の合力は大気開放弁３９を閉じる方向に働き、水漏れがない。
【００２５】
一方、断水等で注水弁１の近傍１７の圧力が大気圧あるいはそれ以下になった場合は、図５に示すように、大気開放弁３９が開く方向に力が作用する。この結果として大気開放弁３９が開き、逆流防止装置１３内の水は連通口３５を通して装置外に放出され、圧力は開放される結果として、逆流が生じることがなくなる。
【００２６】
また、図４のような断水等の無い通常の状態が長時間にわたって継続されると、ゴム等の弁体４０が固着して、図５のように大気開放弁３９が開弁する力が働いても、開かない場合が発生する。そうならないために、必要時に軸４４を装置外より操作することにより、大気開放弁３１を強制的に動作させ固着を防止することができる。
【００２７】
この実施例では、実施例１のようにダイアフラムＢ２８および連通口３６を備えておらず、逆流防止装置の構成が簡単なものとなっている。
【００２８】
（実施例３）
図６は、本発明の実施例３における機器への注湯装置を示す。
【００２９】
実施例１との違いは、逆流防止装置１３が注水弁１の下流側直後４７の位置に配置されていることである。これは、給湯機１２に逆流防止装置がすでに取り付けられている場合である。
【００３０】
この構成によって、逆流防止装置１３と注水弁１との一体化等が可能になり、簡単な構成にすることが可能となる。
【００３１】
【発明の効果】
以上のように、本発明の機器への注湯装置によれば、逆止弁の機能が阻害された状態で、断水等が発生した場合でも、汚れた水が水道管に逆流することをなくすとともに、水漏れや弁が動作しないということがなく、所期の効果を奏することができる。
【図面の簡単な説明】
【図１】本発明の実施例１における機器への注湯装置の全体構成図
【図２】同注湯装置における逆流防止装置の通常使用状態を示す断面図
【図３】同注湯装置における逆流防止装置の開弁状態を示す断面図
【図４】本発明の実施例２における逆流防止装置の通常使用状態を示す断面図
【図５】同注湯装置における逆流防止装置の開弁状態を示す断面図
【図６】本発明の実施例３における機器への注湯装置の全体構成図
【図７】従来の機器への注湯装置を示す全体構成図
【符号の説明】
１　注水弁
２　注湯弁
４　流路切り換え弁
１３　逆流防止装置
２１　固着防止スイッチ
２５　ダイアフラムＡ
２８　ダイアフラムＢ
３０　大気開放弁
【図１】
2004044838.tif 000003
【図２】
2004044838.tif 000004
【図３】
2004044838.tif 000005
【図４】
2004044838.tif 000006
【図５】
2004044838.tif 000007
【図６】
2004044838.tif 000008
【図７】
2004044838.tif 000009